(57)【特許請求の範囲】
【請求項１】
商品の登録を行う登録モード及び各商品の商品名及び単価等を設定する設定モードを有する販売データ処理装置において、
商品が割り付けられているプリセットキーと、
前記登録モードにおいて前記プリセットキーが操作されたときに、該プリセットキーに割り付けられた商品を登録する登録手段と、
各種情報を表示する表示手段と、
前記登録モードにおいて前記プリセットキーが操作されたときに、該プリセットキーに割り付ける商品を設定するための設定画面を前記表示手段に表示させる表示制御手段と、
前記登録モードにおいて前記プリセットキーが操作されたときに動作する手段を、前記登録手段と前記表示制御手段とのいずれかに切り換える切換手段と、
を備え、
前記切り換え手段は、前記プリセットキーが操作された場合において、その操作が予め定めた所定期間の最初の操作である場合、前記表示制御手段を動作させる
ことを特徴とすることを特徴とする販売データ処理装置。
【請求項２】
請求項１に記載の販売データ処理装置において、
前記登録モードにおいて操作されると、割り付けられた商品の登録を行うか若しくは割り付ける商品の設定をさせる両機能プリセットキーと、
前記登録モードにおいて操作されると、割り付けられた商品の登録を行う単機能の登録プリセットキーと、
を設けることを特徴とする販売データ処理装置。
【請求項３】
前記登録モードで操作されると、前記プリセットキーが操作された場合に、該プリセットキーに対応する前記設定画面を表示するよう条件設定を行う条件設定キーを設けることを特徴とする請求項１に記載の販売データ処理装置。
【発明の詳細な説明】
【０００１】
【発明の属する技術分野】
この発明は、レストランや食堂等で用いられ、お客が注文したメニューや商品をプリセットキーで登録して代金を精算する販売データ処理装置に関する。
【０００２】
【従来の技術】
従来の販売データ処理装置は、商品の登録を行うことのできる登録モードと、各種設定を行うことのできる設定モードを設け、登録モードにて商品が登録されることにより、登録した商品の合計金額を算出していた。
ところで、レストランや食堂等では、毎日、あるいは、数日毎に名称、価格等が変更になる日替わりメニューと呼ばれるメニューがある。また、この日替わりメニューは、数が増減する場合もある。
従来の販売データ処理装置では、前述の日替わりメニューもプリセットキーに割り付けて使用していた。ここで、プリセットキーとは、割り付けられた商品を登録する場合に、登録モードにおいて操作されるキーである。
【０００３】
【発明が解決しようとする課題】
ところで、日替わりメニューを割り付けられたプリセットキーは、メニューの変更の都度、該当する設定データを変更する必要があるが、メニューを管理している人は忙しいため、この変更操作をしばしば忘れてしまうことがあった。
この場合にこのプリセットキーで登録操作を行ってしまうと、顧客の既に登録したデータも含めて一括取り消し操作を行ってから、モードを登録モードから設定モードに切り換えてプリセットキーに対応する商品データを設定し直して、あるいは、商品ファイルの該当データを変更した後、先程の登録操作を初めから行う必要があり、非常に面倒で時間もかかってしまうという問題があった。
本発明はこのような点を考慮してなされたもので、その目的は、プリセットキーに割り付けられたメニューのデータを登録モードで容易に変更できる販売データ処理装置を提供することである。
【０００４】
【課題を解決するための手段】
上記問題を解決するために、請求項１に記載の発明は、商品の登録を行う登録モード及び各商品の商品名及び単価等を設定する設定モードを有する販売データ処理装置において、商品が割り付けられているプリセットキーと、
前記登録モードにおいて前記プリセットキーが操作されたときに、該プリセットキーに割り付けられた商品を登録する登録手段と、各種情報を表示する表示手段と、前記登録モードにおいて前記プリセットキーが操作されたときに、該プリセットキーに割り付ける商品を設定するための設定画面を前記表示手段に表示させる表示制御手段と、前記登録モードにおいて前記プリセットキーが操作されたときに動作する手段を、前記登録手段と前記表示制御手段とのいずれかに切り換える切換手段とを備えることを特徴とする販売データ処理装置である。
【０００５】
請求項２に記載の発明は、請求項１に記載の販売データ処理装置において、前記切換手段は、前記プリセットキーが操作された場合において、その操作が予め定めた所定期間の最初の操作である場合、前記表示制御手段を動作させることを特徴とする。
【０００６】
請求項３に記載の発明は、請求項１に記載の販売データ処理装置において、前記登録モードにおいて操作されると、割り付けられた商品の登録を行うか若しくは割り付ける商品の設定をさせる両機能プリセットキーと、前記登録モードにおいて操作されると、割り付けられた商品の登録を行う単機能の登録プリセットキーとを設けることを特徴とする。
【０００７】
請求項４に記載の発明は、請求項１に記載の販売データ処理装置において、前記登録モードで操作されると、前記プリセットキーが操作された場合に、該プリセットキーに対応する前記設定画面を表示するよう条件設定を行う条件設定キーを設けることを特徴とする。
【０００８】
【発明の実施の形態】
以下、図面を参照し、本発明の実施形態を示す。図２は、本発明の一実施形態による販売データ処理装置１の電気ブロック図である。図３は、販売データ処理装置１の外観図である。
これらの図において、符号２１は、装置各部を制御するＣＰＵであり、詳細は後述する。符号２２は、ＣＰＵ２１が実行する制御プログラム等を記憶しているＲＯＭである。符号２３は、各種設定ファイル，登録された商品及びその合計金額等を記憶するＲＡＭである。符号２４は、液晶表示器を有するとともに、この液晶表示器の表示面には、透明な接点スイッチであるタッチキーが設けられているタッチパネル（表示手段）である（図４参照）。このタッチパネル２４に図４の様な画面が表示されている場合に、オペレータが、所定のタッチキーをタッチする事によって、販売データ処理装置１のモード切換，商品データの登録等を行うことができる。
【０００９】
符号２５は、顧客に対して商品の買い上げ価格等を表示する顧客側表示器である。符号２６は、各種入力を行う入力キー装置である。符号２７は、誤った操作をすると音が鳴り、オペレータに誤りを知らせるブザーである。符号２８は、レシート発行口３１の奥に設けられ、ジャーナル，伝票，レポート等に印字する印字部である。符号２９は、商品の精算終了後、あるいは所定の操作等によって開くドロア（引き出し）である。符号３０は、カレンダー機能を有するもので、その時点の年月日時分を表す時計データを出力する時計である。図３の符号３１は、印字部で印字されたレシート，レポート等を外部に排出するレシート発行口である。
【００１０】
図４は登録モード時において、タッチパネル２４に表示する画面である。
符号４１乃至４６は、商品の登録を行うと、商品コード，品名，値段等を表示する欄である。符号４７は、店売，出前の区別を表示する欄である。符号４８は、登録された商品の単価の小計，合計を表示する欄である。
符号４９は、各種ファイルデータを設定する設定モードや、レポートモードなどに切り換えるメニューキーである。符号５０は、登録した商品を取り消す削除キーである。符号５１は、日替用プリセットキーである。符号５２ａ〜５２ｌは、商品登録を行うための単機能のプリセットキー、つまり、通常のプリセットキーである。符号５３は、設定画面キーである。符号５４は、商品の登録をすべて終了させて、代金を精算する精算キーである。
【００１１】
図５は、図４に示すタッチキーに対応するデータが格納されているキーファイルの例である。また、図４に示すタッチキーには、図６に示すようにキーＮＯ．が割り付けられている。
図５の様に、キーファイルは、キーＮＯ．毎に、キーコード，データ欄，キーネームが設けられている。キーコードには、キーの機能を表したコードが入力されており、例えば、「３６」は通常のプリセットキー５２ａ〜５２ｌ（従来技術のもの）を表し「９９９１」は、日替用プリセットキー５１を表す。「９９９２」は、設定画面キー５３を表す。
データ欄は、例えば、キーが日替わりプリセットキー５１や通常のプリセットキー５２ａ〜５２ｌである場合には、そのキーに割り付けられた商品に対応する商品コードが格納されている。また、キーが設定画面キー５３である場合には、日替用プリセットキー５１に割り付けられた商品の商品コードが格納されている。
キーネーム欄ＤＡ４には、タッチキーに表示される文字列が格納されている。
【００１２】
図７は、商品ファイルの例である。商品ファイルは、ＲＡＭに設けられており、商品毎に、商品コード，商品名，単価等の商品データを格納している。
この図において、商品コードは、各商品に割り付けられたコードである。商品名は、商品コードに対応した商品の商品名である。単価は、商品コードに対応した商品の単価である。例えば、この図では、商品コード”１２３”の商品の商品名は、”ラーメン”であり、その単価は５００円であることを意味している。
図８は、日替用プリセットキー５１に商品データを割り付けるときに表示されるキーデータ設定画面である。商品名または単価の各欄をタッチした後に、それぞれデータを入力して日替用プリセットキー５１に割り付ける商品を設定する。
【００１３】
次に、登録画面が表示されている状態における、販売データ処理装置１の動作を図１を参照しながら説明する。
ステップＳ１では、日替用プリセットキー５１が操作されたか否かを判断し、ＹＥＳならばステップＳ２の処理へ進む。ステップＳ２では、日替用プリセットキー５１に割り付けられた商品の単価がクリアーされているか否かを判断し、ＹＥＳならばステップＳ３の処理へ進む。ステップＳ３では、図８のようなキーデータ設定画面を表示され、ここでデータが入力され終了キー（図８）がタッチされると（ステップＳ４）、ステップＳ５の処理へ進む。
【００１４】
ステップＳ５では、まず、キーファイルからステップＳ１において操作された日替用プリセットキーのキーＮＯ．に対応するデータ欄に格納されている商品コードを読み込み、次に商品ファイルにおいて、同商品コードに対応する商品名及び単価としてステップＳ４で入力されたデータを書き込んでステップＳ１へ戻る。
【００１５】
一方、ステップＳ２における判断がＮＯであった場合には、ステップＳ７の処理へ進む。ステップＳ７では、日替用プリセットキー５１に割り付けられた商品の登録を行いステップＳ１へ戻る。
【００１６】
次に、ステップＳ１における判断がＮＯであった場合には、ステップＳ６の処理へ進む。ステップＳ６では、通常のプリセットキー５２ａ〜５２ｌが、操作されたか否かを判断し、ＹＥＳならばステップＳ７の処理へ進む。ステップＳ７では、通常のプリセットキー５２ａ〜５２ｌに割り付けられた商品の登録を行いステップＳ１へ戻る。
【００１７】
また、ステップＳ６における判断がＮＯであった場合には、ステップＳ８の処理に進む。ステップＳ８では、設定画面キー５３が操作されたか否かを判断し、ＹＥＳならばステップＳ９の処理に進む。ステップＳ９では、まず、キーファイルから、操作された設定画面キー５３のキーＮＯ．に対応するデータ欄に格納されている商品コードを読み込み、次に商品ファイルにおいて、同商品コードに対応する商品名及び単価をクリアーし、ステップＳ１へ戻る。
【００１８】
ここで、ステップＳ８における判断がＮＯであった場合には、ステップＳ１０の処理へ進む。ステップＳ１０では、精算のための締め処理やメニューキー４９などの他の処理を行い、ステップＳ１へ戻る。
【００１９】
従って、設定モードで日替用プリセットキー５１に対応する商品データを変更する必要がある場合には、設定画面キー５３を押すと、日替用プリセットキー５１に割り付けられた商品の商品名と単価がクリアーされ（ステップＳ８，Ｓ９）、該当する日替用プリセットキーの機能を切り換えるための条件が設定されたことになり、次に日替用プリセットキー５１を押すことにより、日替用プリセットキーに割り付ける商品の商品名及び単価を容易に設定できる（ステップＳ１〜Ｓ５）。
【００２０】
次に他の実施形態について図９を参照しながら説明する。この実施形態においては、設定画面キーが不要となるが、新たにバッテリーバックアップの行われたＲＡＭを設け、そこに日付を記憶する日付エリアを日替用プリセットキー５１専用に設ける必要がある。
【００２１】
ステップＳ１１では、日替用プリセットキー５１が操作されたか否かを判断し、ＹＥＳならばステップＳ１２の処理へ進む。ステップＳ１２では、時計３０のデータを読み込み、次いで日付エリアに記憶した日付と異なった日付であるか否かを判断し、ＹＥＳならばステップＳ１３の処理へ進む。なお、ここの判断もＳ２と同様に設定画面を表示すべき条件であるか否かの判断の一種である。
ステップＳ１３では、時計３０から読み出したデータ内の日付を前述のＲＡＭの日付エリアに記憶し、ステップＳ１４の処理へ進む。ステップＳ１４では日替用プリセットキー５１に対応する商品のデータを読み出して、品名，単価を図８のキーデータ設定画面に表示し、オペレータに内容の確認をさせる。ここでデータが入力され終了キーがタッチされると（ステップＳ１５）、ステップＳ１６の処理へ進む。
【００２２】
ステップＳ１６では、まず、キーファイルからステップＳ１１において操作された日替用プリセットキーのキーＮＯ．に対応するデータ欄に格納されている商品コードを読み込み、次に商品ファイルにおいて、同商品コードに対応する商品名及び単価としてステップＳ１５で入力されたデータを書き込みステップＳ１１へ戻る。
【００２３】
一方、ステップＳ１２における判断がＮＯであった場合には、ステップＳ１８の処理に進む。ステップＳ１８では、日替用プリセットキー５１に割り付けられた商品の登録を行いステップＳ１１へ戻る。
【００２４】
次に、ステップＳ１１における判断がＮＯであった場合には、ステップＳ１７の処理へ進む。ステップＳ１７では、通常のプリセットキー５２ａ〜５２ｌが、操作されたか否かを判断し、ＹＥＳならばステップＳ１８の処理へ進む。ステップＳ１８では、通常のプリセットキー５２ａ〜５２ｌに割り付けられた商品の登録を行いステップＳ１１へ戻る。
【００２５】
また、ステップＳ１７における判断がＮＯであった場合には、ステップＳ１９の処理へ進む。ステップＳ１９では、精算のための締め処理やメニューキー４９などの他の処理を行い、ステップＳ１１へ戻る。
【００２６】
以上のように動作することで、日付が変わって初めて日替用プリセットキー５１が操作された場合に、設定画面が表示され、これによって内容を自動的に確認することができ（ステップＳ１１〜ステップＳ１４）、設定すべきであれば容易に変更できるため（ステップＳ１５〜Ｓ１６）、間違った設定データで登録してしまうことを効果的に防止できるようになっている。
【００２７】
以上、本発明の実施形態を説明したが、本発明はこの形態だけに限られるものではない。以下に、上記実施形態の変形例を示す。
例えば、商品の特性に合わせて、日替用プリセットキーは、日替わりに限らず、週替わりや、月替わりにしてもよい。特に第２実施例は、Ｓ１２の判断の期間を変更すればよい。
【００２８】
設定画面キーに商品コードの設定を不要にした場合には、このキーが操作されるとその前、あるいは、後に操作される日替用プリセットキーに対する設定画面を表示するようにしてもよい。さらに、日替用プリセットキーで登録した後に設定データの変更の必要性に気づいたら、直後に設定画面キーをタッチすると直前の登録データを取消すとともに設定画面を表示して設定されたデータで登録するよう動作するようにしてもよい。
【００２９】
請求項４でいう条件は、有効データの有無に代えて、キーファイルか商品ファイルなどのＲＡＭ内にフラグを設けることでもよい。その場合は第２実施例のように設定画面で内容の確認ができるようになる。
【００３０】
通常のプリセットキーと日替用プリセットキーは、ファンクションコードで区別することなく、キーファイル等に区別用のフラグを設けて区別してもよい。
マスター／サテライトシステムでサテライトが商品ファイルを持たない場合には、Ｓ５、あるいは、Ｓ１６ではマスターに設定データを転送するとよい。
【００３１】
【発明の効果】
以上説明したように、この発明によれば、登録モードでプリセットキーに対応する設定データを容易に変更できる。このため、設定データに間違いがあった場合には、わざわざ登録を取り消し、設定モードに戻ることなく、登録モードのままで容易に修正することができる。
【００３２】
請求項２の発明では、プリセットキーにとって本日、あるいは、所定期間で最初の操作である場合にキーデータ設定画面が表示され、データの確認ができ、容易に設定ができるため、データの変更頻度が多い商品であっても間違ったデータで登録してしまうことを防止できる。
【００３３】
請求項３の発明によれば、設定データの変更が容易なプリセットキーの数を必要最小限にすることができるため、不慣れなオペレータであっても設定データを誤って変更してしまう虞を減少できる。
【００３４】
請求項４の発明によれば、設定画面を表示するような条件設定キーを備えたので、必要なときにプリセットキーに対応するデータを容易に変更することができる。
【図面の簡単な説明】
【図１】  本発明における販売データ処理装置の一実施形態における動作を示すフローチャートである。
【図２】  本発明における販売データ処理装置の一実施形態における電気ブロック図である。
【図３】  本発明における販売データ処理装置の一実施形態における外観図である。
【図４】  登録モードでのタッチパネルの画面の例を表す図である
【図５】  キーファイルの例を表す図である。
【図６】  タッチキーに割り付けられたキーＮＯ．の例を表す図である。
【図７】  商品ファイルの例を表す図である。
【図８】  キーデータ設定画面の例を表す図である。
【図９】  本発明における販売データ処理装置の他の実施形態における動作を示すフローチャートである。
【符号の説明】
１    販売データ処理装置
２１  ＣＰＵ
２２  ＲＯＭ
２３  ＲＡＭ
３０  時計
５１  日替用プリセットキー
５２ａ〜５２ｌ  通常のプリセットキー
５３  設定画面キー
【図１】
0004206567.tif 000002
【図２】
0004206567.tif 000003
【図３】
0004206567.tif 000004
【図４】
0004206567.tif 000005
【図５】
0004206567.tif 000006
【図６】
0004206567.tif 000007
【図７】
0004206567.tif 000008
【図８】
0004206567.tif 000009
【図９】
0004206567.tif 000010